(57)【要約】【課題】原稿を走査して読み取られた原稿画像情報において、光量変動等による読み取りむらを軽減して、良好な原稿全面の画像情報を得ることができる画像読取方法、画像読取装置および画像読取システムの提供。【解決手段】ラインＣＣＤ３１から出力された輝度信号は、Ａ／Ｄ変換器２０２によってＡ／Ｄ変換されたあと、補正回路２０４によって副走査方向または主走査方向の位置に応じた補正パラメータに従い補正されるが、その補正パラメータを、原稿種別１１０７から得られた原稿種別の情報に応じて補正パラメータ選択１１０５により選択し切り替える構成とする。【選択図】図２
2007267160.tif 000002
【特許請求の範囲】
【請求項１】
原稿を固定し、読み取り部を走査して前記原稿の画像を読み取る工程と、
前記読み取り部の主走査方向の位置に応じた第一のゲインパターンに従って画像読取信号のゲインを調整する工程と、
前記主走査方向と直交した副走査方向の位置に応じた第二のゲインパターンに従って画像読取信号のゲインを調整する工程と、
前記原稿の厚み又は前記主走査方向における原稿サイズの少なくともいずれかを検知する工程とを備える画像読取方法において、
前記第一のゲインパターンに従って画像読取信号のゲインを調整する工程または前記第二のゲインパターンに従って画像読取信号のゲインを調整する工程により前記画像読取信号のゲインを調整するとき、
前記原稿の厚み又は前記主走査方向における原稿サイズの少なくともいずれかを検知する工程による検知結果に応じて、予め設定された複数の前記第一のゲインパターンまたは複数の前記第二のゲインパターンから、画像形成に適した第一のゲインパターンまたは第二のゲインパターンを選択し切り替えることを特徴とする画像読取方法。
【請求項２】
原稿を固定し、読み取り部を走査して前記原稿の画像を読み取る手段と、
前記読み取り部の主走査方向の位置に応じた第一のゲインパターンに従って画像読取信号のゲインを調整する手段と、
前記主走査方向と直交した副走査方向の位置に応じた第二のゲインパターンに従って画像読取信号のゲインを調整する手段と、
前記原稿の厚み又は前記主走査方向における原稿サイズの少なくともいずれかを検知する手段とを備える画像読取装置において、
前記第一のゲインパターンに従って画像読取信号のゲインを調整する手段または前記第二のゲインパターンに従って画像読取信号のゲインを調整する手段により前記画像読取信号のゲインを調整するとき、
前記原稿の厚み又は前記主走査方向における原稿サイズの少なくともいずれかを検知する手段による検知結果に応じて、予め設定された複数の前記第一のゲインパターンまたは複数の前記第二のゲインパターンから、画像形成に適した第一のゲインパターンまたは第二のゲインパターンを選択し切り替えることを特徴とする画像読取装置。
【請求項３】
請求項２に記載の画像読取装置を備えることを特徴とする画像読取システム。
【発明の詳細な説明】
【技術分野】
【０００１】
本発明は画像読取方法、画像読取装置および画像読取システムに関する。例えば、原稿を搬送ベルトで所定の位置に搬送し、その原稿を走査して原稿上の画像情報を読み取るようになされた原稿スキャナや複写機等に適用される画像読取方法、画像読取装置および画像読取システムに関するものである。
【背景技術】
【０００２】
画像読取装置として、例えば、複写機には、原稿を搬送ベルトで所定の位置に搬送する原稿自動給送装置、及びその原稿自動給送装置により搬送された原稿を走査して原稿上の画像情報を読み取る原稿読取装置が設けられている。これらの装置により、複写機の原稿積載トレイ上にセットされた複数の原稿は１枚ずつ給紙され、原稿搬送ベルトで画像読取装置の所定の位置に搬送され、そして、原稿読取キャリッジで走査される。このようにして、原稿上の画像情報が読み取られる。
【０００３】
ところで、上述の原稿自動給送装置では、図１８に示すように、原稿搬送ベルト７０１が、ベルト駆動ローラ７０３とベルト従動ローラ７０４によりプラテンガラス７０５に対して平行に張架された構成としている。また、バネの復元力で原稿搬送ベルト７０１を下方に押し当てる複数本の押当ローラ７０２を、原稿搬送ベルト７０１のベルト駆動ローラ７０３とベルト従動ローラ７０４の間に設けた構成としている。このような構成により、原稿搬送ベルト７０１上の原稿（図示せず）に、プラテンガラス７０５からの浮きが発生しないようになされている。
【０００４】
しかしながら、上記図１８に示したような原稿自動給送装置が設けられた複写機では、次のような問題がある。原稿搬送ベルト７０１を張架している２つのローラ、すなわちベルト駆動ローラ７０３及びベルト従動ローラ７０４付近において、原稿がプラテンガラスにも、搬送ベルトにも接触しない部分が生ずる。これは、長さＬ１と高さＨ１，長さＬ２（図示せず）と高さＨ２を有するクサビ型の空間があるため、原稿が十分にプラテンガラスに抑えつけられていないために生じる。
【０００５】
したがって、原稿上の画像情報を読み取った結果得られる複写画像には、図１９に示すように、その端部Ｌ１，Ｌ２に影が発生したり、画像濃度に異常が発生するという現象（下地かぶり現象）が生じていた。
【０００６】
このような現象が生じるのは次のような理由による。まず、複写機内部に設けられた原稿を照明する構成が、図２０に示すように、ランプ７１１の直接光と反射笠７１５により、プラテンガラス７０５上の原稿７１６に対して集光して照射するようになされている。この構成での原稿７１６への照射光量は、図２１に示すように、原稿７１６がプラテンガラス７０５から離れるに従って低下するためである。また、原稿搬送ベルト７０１が原稿７１６に接触しないために原稿７１６を透過して原稿搬送ベルト７０１に反射し、さらに原稿７１６を透過してラインＣＣＤ（不図示）に戻ってくる光の量が変化するためでもある。
【０００７】
上述のように、原稿自動給送装置及び原稿読取装置を有する複写機のような、従来の画像読取装置では、照明からの原稿の離間距離に従って、その原稿での照明光量が変動する。これにより、上記図１９に示したような下地かぶり現象が発生し、この結果、良好な原稿全面の画像情報を読み取ることができなかった。
【０００８】
これに対して、例えば特許文献１によると、図１９のＬ１やＬ２の領域ではどの程度の濃度変化が起こるのかを予め調査し、その結果を元に読み取り画像データを補正回路部によって補正を行い、良好な画像情報を得る構成をとっている。
【特許文献１】特開平１１−１５５０７２号公報
【発明の開示】
【発明が解決しようとする課題】
【０００９】
先に述べたように、Ｌ１，Ｈ１、Ｌ２，Ｈ２のクサビ型の部分において、主に原稿とプラテンガラスとの距離と、原稿の光の透過率によって下地かぶり現象の程度が決まる。
【００１０】
概して原稿の坪量（単位面積あたりの重量）が大きければ原稿のプラテンガラスからの浮き量（離れ量）が少なく、光の透過率は小さい。一方、原稿の坪量が小さければ、浮き量は大きく、透過率も大きい。すなわち、原稿の種類によって浮き量や透過率が異なる。したがって、下地かぶり補正を行わないと、坪量の小さな原稿ほど下地かぶり現象の程度が大きいことになる。図２２に例を示した。図２２（Ａ）は坪量が小さな原稿のクサビ型の部分における浮きの状態１０６０２に、および坪量が大きな場合のそれを１０６０３に示している。坪量の大きな原稿は浮き上がり量が少ない。なお、１０６０１はＬ１，Ｈ１によって形成されるクサビ型の部分である。図２２（Ｂ）は原稿が原稿搬送ベルトに密着している場合を基準（１００）としたときの原稿の読取値を示している。坪量の小さな原稿（１０６０４）の場合は浮きとともに透過量も大きなために読取値は影響を大きく受け、坪量の大きな原稿（１０６０５）の場合は浮きも透過量も少ないために読取値はあまり影響を受けない。これに対する補正係数を図２２（Ｃ）に示す。原稿が原稿搬送ベルトに密着している場合の補正係数を１．０とする。坪量の大きな原稿（１０６０７）ではあまり大きな補正係数を必要としないが、坪量の小さな原稿（１０６０６）では補正係数も大きくなる。
【００１１】
補正は典型的な場合に目標を定めてなされるので、補正が過多であったり、補正の量が足りなく下地かぶり現象を起こすこともある。
【００１２】
最近の原稿スキャナや複写機においては、多種多様な原稿に対応し、従来にまして薄い紙（坪量の小さな紙）や厚い紙（坪量の大きな紙）を扱うようになってきており、下地かぶり現象の問題がクローズアップされるようになってきた。
【００１３】
図２３は図１８の原稿自動給送装置の視点を変えて上部から眺めた図である。押当ローラ７０２は図１８の奥行き方向（紙面垂直方向）に対して一様に設置されているわけではなく、図２３の如くところどころに分散配置されている。また、原稿搬送ベルト７０１の駆動方向（紙面左右方向）に対しても分散配置されている。このために原稿搬送ベルト７０１は押当ローラ７０２付近では原稿７１６をプラテンガラス７０５に十分に密着させられるが、押当ローラ７０２から離れたところでは原稿搬送ベルト７０１が原稿７１６を十分に押し当てていない。この結果、図１９のようにベルト搬送方向両端部において顕著に下地かぶり現象が発生するが、さらに押当ローラ７０２の効果が薄れる箇所においても下地かぶり現象が発生する。
【００１４】
図２３を簡略化した図２４を使って説明する。図２４は原稿搬送方向に３箇所、それと直交する方向に２箇所、合計６カ所に押当ローラ７０２を設けた例である。図２４（Ａ）は原稿搬送方向に対する原稿浮きの量を、同様にして図２４（Ｂ）は原稿搬送方向に直交する方向の原稿浮きの量を示している。図２４（Ａ）において、Ｌ１，Ｈ１およびＬ２，Ｈ２領域に原稿浮きが発生することは先に説明したとおりであるが、それに加えて押当ローラ７０２間もＬ１，Ｈ１やＬ２，Ｈ２ほどではないにせよ原稿浮きが生ずる。図２４（Ｂ）においては、押当ローラ２箇所以外は原稿浮きが生じ、押当ローラ７０２から遠ざかるにしたがって、その量は大きくなる。
【００１５】
このようにして押当ローラ７０２が分散配置されていることによって、その押当ローラ間で原稿が浮き、その結果として下地かぶり現象が発生するという問題がある。
【００１６】
以上の原稿の種類の観点、押当ローラ７０２の配置の観点から、従来の補正方法では下地かぶり現象問題を解決することはできなくなってきた。
【００１７】
本発明は、上記の問題解決のために成されたもので、良好な原稿全面の画像情報を読み取ることができる画像読取方法、画像読取装置および画像読取システムを提供することを目的とする。
【課題を解決するための手段】
【００１８】
斯かる目的下において、本発明は、ラインＣＣＤが読み取る方向（主走査方向）、およびラインＣＣＤと原稿が相対的に移動する方向（副走査方向）に対して、画像読取信号の出力を補正する手段を有する。そして、原稿の厚さや原稿のサイズに応じて補正のためのパラメータを切り替えることを特徴としている。
【００１９】
すなわち、本発明の技術内容は以下の構成を備えることにより前記課題を解決できた。
【００２０】
（１）原稿を固定し、読み取り部を走査して前記原稿の画像を読み取る工程と、前記読み取り部の主走査方向の位置に応じた第一のゲインパターンに従って画像読取信号のゲインを調整する工程と、前記主走査方向と直交した副走査方向の位置に応じた第二のゲインパターンに従って画像読取信号のゲインを調整する工程と、前記原稿の厚み又は前記主走査方向における原稿サイズの少なくともいずれかを検知する工程とを備える画像読取方法において、前記第一のゲインパターンに従って画像読取信号のゲインを調整する工程または前記第二のゲインパターンに従って画像読取信号のゲインを調整する工程により前記画像読取信号のゲインを調整するとき、前記原稿の厚み又は前記主走査方向における原稿サイズの少なくともいずれかを検知する工程による検知結果に応じて、予め設定された複数の前記第一のゲインパターンまたは複数の前記第二のゲインパターンから、画像形成に適した第一のゲインパターンまたは第二のゲインパターンを選択し切り替えることを特徴とする画像読取方法。
【００２１】
（２）原稿を固定し、読み取り部を走査して前記原稿の画像を読み取る手段と、前記読み取り部の主走査方向の位置に応じた第一のゲインパターンに従って画像読取信号のゲインを調整する手段と、前記主走査方向と直交した副走査方向の位置に応じた第二のゲインパターンに従って画像読取信号のゲインを調整する手段と、前記原稿の厚み又は前記主走査方向における原稿サイズの少なくともいずれかを検知する手段とを備える画像読取装置において、前記第一のゲインパターンに従って画像読取信号のゲインを調整する手段または前記第二のゲインパターンに従って画像読取信号のゲインを調整する手段により前記画像読取信号のゲインを調整するとき、前記原稿の厚み又は前記主走査方向における原稿サイズの少なくともいずれかを検知する手段による検知結果に応じて、予め設定された複数の前記第一のゲインパターンまたは複数の前記第二のゲインパターンから、画像形成に適した第一のゲインパターンまたは第二のゲインパターンを選択し切り替えることを特徴とする画像読取装置。
【００２２】
（３）前記（２）に記載の画像読取装置を備えることを特徴とする画像読取システム。
【発明の効果】
【００２３】
本発明によると、原稿を走査して読み取られた原稿画像情報において、光量変動等による読み取りむらを軽減して、良好な原稿全面の画像情報を提供することができる。
【発明を実施するための最良の形態】
【００２４】
以下に図面を参照して、この発明の好適な形態を例示的に詳しく説明する。ただし、この実施の形態に記載されている構成部品の寸法、材質、形状、その相対配置などは特に特定的な記載がない限りは、この発明の範囲をそれらのみに限定するものではない。
【実施例】
【００２５】
［第一の実施の形態］
本発明に係る画像読取方法は、例えば、図１に示すようなディジタル複写機１００により実施され、このディジタル複写機１００は、本発明に係る画像読取装置を適用したものでもある。
【００２６】
すなわち、ディジタル複写機１００は、原稿自動給送機能及び原稿読取機能を有し、上記図１に示すように、原稿自動給送機能する原稿自動給送装置１と、原稿読取機能する画像読取装置２と、所謂電子写真機能する電子写真プリンタ装置３とを備えている。
【００２７】
原稿自動給送装置１は、原稿６０が載置される原稿トレイ１０と、画像読取装置２上に設けられたプラテンガラス１２を備える。また、原稿トレイ１０に載置された原稿６０を、プラテンガラス１２を経由して原稿自動給送装置１外に排出するための原稿搬送ベルト１１、ベルト従動ローラ１３、ベルト駆動ローラ１４、及び複数本の押当ローラ１５とを備えている。そして、原稿搬送ベルト１１は、ベルト駆動ローラ１４とベルト従動ローラ１３によりプラテンガラス１２に対して平行に張架されている。また、複数本の押当ローラ１５は、原稿搬送ベルト１１のベルト駆動ローラ１４とベルト従動ローラ１３の間に設けられており、バネの復元力で原稿搬送ベルト１１を下方に押し当てるようになされている。このような構成により、原稿搬送ベルト１１上の原稿６０に、プラテンガラス１２からの浮きが発生しないようにしている。
【００２８】
画像読取装置２は、原稿６０上の画像情報を電気信号（画像読取信号に相当）として読み取る画像読取部２５（原稿の画像を読み取る手段に相当）を備える。また、画像読取装置２は、画像読取部２５で得られた電気信号（以下、画像信号とする）を電子写真プリンタ装置３に供給する電装部３３も備える。また、原稿６０を照明する原稿照明部２６と、原稿６０からの反射光を画像読取部２５に導くための反射ミラー２７、２８及び２９とを備えている。そして、画像読取部２５は、レンズ３０とラインＣＣＤ３１を備えており、反射ミラー２７、２８及び２９を介して得られた原稿６０からの反射光は、レンズ３０で集光され、ラインＣＣＤ３１上に結像されるようになされている。また、原稿照明部２６と反射ミラー２７は、所定の速度で移動する第１の走査キャリッジ２３（読み取り部に相当）に設けられている。一方、反射ミラー２８及び２９は、各々の相対角度が９０°であり、第１の走査キャリッジ２３の移動速度の１／２の速度で移動する第２の走査キャリッジ２４に設けられている。
【００２９】
電子写真プリンタ装置３は、画像読取装置２で得られた画像信号に所定の信号処理を行う画像処理部３４と、画像処理部３４の出力に対応した静電潜像を形成するための感光ドラム４７とを備える。また、画像読取装置２で得られた画像信号を感光ドラム４７に導くための光走査器３５及びミラー３８と、上記静電潜像を現像するための現像器３９と、その像を記録紙に転写するための転写分離器４８とを備えている。また、電子写真プリンタ装置３は、転写材（記録紙）を収納するための転写材カセット４４と、転写材カセット４４に収納された記録紙を感光ドラム４７に導くための給紙ローラ４５及び４２とを備える。また、手差し用の転写材カセット（手差転写材カセット）４０と、転写材カセット４０に収納された記録紙を感光ドラム４７に導くための給紙ローラ４３及び４６とを備えている。さらに、電子写真プリンタ装置３は、転写分離器４８で記録紙に転写された像を定着させるための定着器５１を備える。そして、転写分離器４８で像が転写された記録紙を定着器５１に導くための搬送ベルト４９と、定着器５１で像が定着された記録紙を排出トレイ５２に対して排出するための排紙ローラ５０とを備えている。
【００３０】
そこで、先ず、原稿自動給送装置１において、原稿トレイ１０にセットされた複数の原稿６０は、その最上もしくは最下の原稿６０から１枚ずつ原稿自動給送装置１内に取り込まれる。その取り込まれた原稿６０は、原稿搬送ベルト１１がベルト駆動ローラ１４とベルト従動ローラ１３により駆動され、原稿搬送ベルト１１との摩擦力によってプラテンガラス１２上の所定の位置まで搬送される。
【００３１】
次に、画像読取装置２において、原稿照明部２６は、プラテンガラス１２上の原稿６０に対して、照明光を発する。これにより、プラテンガラス１２上の原稿６０は、プラテンガラス１２を介して照明される。そして、その原稿６０からの反射光は、反射ミラー２７、２８、及び２９により、画像読取部２５に導かれる。
【００３２】
このとき、原稿照明部２６と反射ミラー２７が設けられた第１の走査キャリッジ２３は、所定の速度で原稿６０に沿って水平移動する。これと同時に、反射ミラー２８及び２９が設けられた第２の走査キャリッジ２４も、第１の走査キャリッジ２３の移動速度の１／２の速度で原稿６０に沿って水平移動する。
【００３３】
画像読取部２５に導かれた原稿６０からの反射光は、画像読取部２５のレンズ３０により集光され、そのラインＣＣＤ３１の結像面上に結像される。ラインＣＣＤ３１では光電変換が行われ、この結果、原稿６０の反射光は、電気信号に変換され、輝度データを含む画像信号となる。
【００３４】
電装部３３は、画像読取部２５で得られた画像信号をＡ／Ｄ変換器（図２  ２０２参照）でディジタル化することで、原稿６０の輝度信号による画像データを得る。
【００３５】
次に、電子写真プリンタ装置３において、画像処理部３４は、電装部３３で得られた画像データに所定の信号処理を行って、転写（プリンタ出力）のための濃度データからなる画像データを生成する。画像処理部３４で生成された画像データは、図示していない半導体レーザ等によって光信号（レーザ光）に変換される。そして、ポリゴンミラー等による光走査器３５及びミラー３８を経由して、図示していない帯電器によって表面を一様に帯電された感光ドラム４７上に露光され、静電潜像を形成する。その静電潜像は、現像器３９の図示していないトナーによって現像され、転写分離器４８によってトナー像として後述の記録紙に転写される。
【００３６】
ここで、トナー像が転写される記録紙は、転写材カセット４４に収納されている。転写材カセット４４に収納されている記録紙は、給紙ローラ４５及び４２によって、感光ドラム４７の転写位置に搬送される。また、手差転写材カセット４０が利用される場合には、トナー像が転写される記録紙は、手差転写材カセット４０にセットされる。その記録紙は、給紙ローラ４３、４６及び４２によって、感光ドラム４７の転写位置に搬送されるようになされている。
【００３７】
転写分離器４８によってトナー像が転写された記録紙は、搬送ベルト４９によって定着器５１に搬送され、そのトナー像が定着される。定着器５１でトナー像が定着された記録紙は、排紙ローラ５０によって電子写真プリンタ装置３外の排出トレイ５２に対して排紙される。
【００３８】
上述のようにして、原稿６０上の画像情報は、記録紙上に再現される。
【００３９】
もしくは、原稿６０の輝度信号による画像データは図示しないネットワーク回線等によって電子情報として利用される。
【００４０】
以上、ディジタル複写機１００の機械的な構成及び動作を説明した。つぎに、上述した電装部３３について具体的に説明する。
【００４１】
上述のようにして、原稿６０の反射光から得られる画像信号、すなわちラインＣＣＤ３１から出力される画像信号（以下、輝度信号と記す）は、照明光量が減少し、また、光の透過量がかわるために下地かぶり現象を起こす状態となっている。これは、前記図１８及び図１９等を用いて説明したように、原稿搬送ベルト１１（図１８の７０１）がプラテンガラス１２（図１８の７０５）から離間することで形成されたクサビ型の原稿浮き部分（図１９ではＬ１及びＬ２で示す部分）が存在するためである。そこで、電装部３３はその変動を補正する。
【００４２】
輝度信号の補正を説明するためのブロック図を図２に、フローチャートを図３に示す。
【００４３】
図２２にて、原稿の種類、すなわち原稿種別によってＬ１，Ｈ１およびＬ２，Ｈ２領域における原稿６０の状態が異なり、その結果、補正量の大きさが異なることを説明した。
【００４４】
ディジタル複写機１００には通常よりも厚さの厚い紙や薄い紙を送るときには原稿６０を搬送するための制御を切り替えるために図示しない原稿厚み指定（原稿の厚みを検知する手段に相当）が用意されている。電装部３３は、原稿厚みの情報を受け取る（図２  １１０７）（図３  ステップＳ１０２、図中「厚み指定」と記す）。そして、それに応じて副走査方向（読み取り部を動かす方向）の補正パラメータを切り替える（図２  １１０５）（図３  ステップＳ１０３）。そして、画像読取を行う（図３  ステップＳ１０４）。なお、図２において、８１は、ラインＣＣＤ３１、補正回路２０４、補正パラメータ選択１１０５、そして画像処理部３４を制御するＣＰＵであり、８２はメモリである。
【００４５】
ここで輝度信号の副走査方向（スキャン方向）補正方法について説明する。
【００４６】
図１９のようにＬ１とＬ２領域で下地かぶり現象が発生するのは次のような原因による。すなわち、図１８のように、ベルト駆動ローラ１４（図１８の７０３）およびベルト従動ローラ１３（図１８の７０４）と押当ローラ１５（図１８の７０２）との間にクサビ型の空間ができている。この領域においてプラテンガラス１２（図１８の７０５）と原稿６０（図１８の７１６）との間に距離が存在する。そのとき、図２１のように原稿６０を照明する光量が低下し、原稿６０から反射されてラインＣＣＤ３１に到達する光量が低下し、原稿６０が暗く見えてしまい下地かぶり現象が生じる。クサビ型の空間は一様であるため、光量の低下率は原稿や原稿サイズには依らないと仮定し、クサビ型の空間の大きさに応じてラインＣＣＤ３１の輝度信号に対して図４のような補正値を乗ずることによって補正を行う。ここで、図４は画先から走査方向への距離と輝度信号の補正値の関係を示すグラフである。
【００４７】
電装部３３内の２０４の補正回路は、図５のような構成をしている。ラインＣＣＤ３１から入力された信号１０５０４は可変ゲインアンプ１０５０１（第一のゲインパターンに従って画像読取信号のゲインを調整する手段に相当）によって増幅される。そして、ラインＣＣＤ３１の輝度信号（以下、ＣＣＤ輝度信号と記す）が補正される（１０５０６）。可変ゲインアンプ１０５０１のゲインは、予め用意されている図４のような補正値テーブル１０５０２（第一のゲインパターンに相当）によって定められる。補正値テーブル１０５０２は第１の走査キャリッジ２３の位置（読み取り位置）１０５０３が入力されると、それに応じた補正値１０５０５を出力する。第１の走査キャリッジ２３の位置の変わりにラインＣＣＤ３１の同期信号を入力してカウントすることによって、それに応じた補正値を出力するようにしている。
【００４８】
このように補正されたデータは、画像データとして利用したり、電子写真プリンタ装置３によって記録紙上に再現される。
【００４９】
［第二の実施の形態］
上述した第一の実施の形態は原稿の厚みをもとに副走査方向の補正パラメータを切り替えたが、本実施の形態では主走査方向及び副走査方向における原稿のサイズをもとに副走査方向の補正パラメータを切り替えている。ここでは、第一の実施の形態と異なる点についてのみ具体的に説明するものとし、それ以外についての詳細は省略する。
【００５０】
原稿のサイズが異なると、同じ箇所でも原稿浮きの状態が変わることを、図２５を使って説明する。図２５は図２３の押当ローラ構成を持つ原稿自動給紙装置にサイズの異なる原稿１１０１、１１０２を押さえたときの図である。（ａ）は原稿自動給送装置を上部から見た図である。（ｂ）は（ａ）のＡ−Ａ’における原稿浮きの量を示した図である。原稿１１０１は、ＡからＡ’の方向に向かうに従い、Ｌ１，Ｈ１部分において原稿が浮き上がる。しかし押当ローラ７０２の影響によって除々にプラテンガラス７０５に押さえつけられ、Ａ−Ａ’の押当ローラ７０２に近いところで最もプラテンガラス７０５に押しつけられる。そして、その後ローラによる押しつけの影響が小さくなるので端部は浮いてしまう。
【００５１】
原稿１１０２はほぼ原稿１１０１と同じような浮き具合を呈するが、図２５（ｂ）の（α）部分において原稿１１０１は開放端で抑えがないので原稿が自由に浮いてしまう。これに対して、原稿１１０２は別の押当ローラ７０２の影響を受けてプラテンガラス７０５に接するように付勢されるために原稿１１０１と浮き具合が異なる。このように全ての原稿が同じような浮きを呈するわけではなく、サイズ毎に、また、その置き方毎に異なる浮き方を呈するために、一様に補正していたのでは良好な画像を得られない。そこで、本実施の形態では、以下のような補正処理を行う。
【００５２】
輝度信号の補正を説明するためのブロック図を図６に、フローチャートを図７に示す。
【００５３】
図１８に示すベルト搬送機構における押当ローラ７０２はベルト搬送方向に分散配置されているために原稿７１６のサイズが異なると、図２５に示したように、同じプラテンガラス７０５の位置における原稿７１６の状態が異なる。そのために原稿サイズによってその補正の度合いを変えることによって読み取り画像を良好に保つことができる。
【００５４】
原稿６０を人手でプラテンガラス１２上に置いて原稿６０を押さえつける圧板を閉じる（ステップＳ２０１，ステップＳ２０３）。すると、画像読取装置２は、画像読取装置２に設けられた図示しない原稿サイズ検知器（原稿のサイズを検知する手段に相当）によって原稿６０の主走査方向及び副走査方向におけるサイズが検知される（ステップＳ２０４）。もしくは、原稿自動給送装置１の原稿搬送ベルト１１によってプラテンガラス１２上に原稿６０が搬送される（ステップＳ２０２）。そして、画像読取装置２もしくは原稿自動給送装置１の図示しない原稿サイズ検知器によって原稿６０のサイズが検知される（ステップＳ２０４）。原稿サイズの検知結果（図６  １１０６）にしたがって副走査方向（読み取り部を動かす方向）の補正パラメータを切り替え（図６  １１０５）（図７  ステップＳ２０５）、画像読取を行う（ステップＳ２０６）。補正回路２０４の動作は第一の実施例と同様であるので省略する。
【００５５】
［第三の実施の形態］
上述した第一および第二の実施の形態は原稿の種別もしくは原稿のサイズをもとに副走査方向の補正パラメータを切り替えたが、本実施の形態では原稿の厚みと主走査方向及び副走査方向における原稿サイズの両方をもとに副走査方向の補正パラメータを切り替えている。ここでは、第一・第二の実施の形態と異なる点についてのみ具体的に説明するものとし、それ以外についての詳細は省略する。
【００５６】
輝度信号の補正を説明するためのブロック図を図８に、フローチャートを図９に示す。
【００５７】
第一の実施例は原稿の種別ごとに補正のためのパラメータを切り替え、第二の実施例は原稿のサイズごとに切り替えた。更に良好な画像を得るためには原稿の厚み（図８  １１０７）（図９  ステップＳ３０５）とともに主走査方向及び副走査方向における原稿サイズ（図８  １１０６）（図９  ステップＳ３０４）までをも考慮して副走査方向の補正パラメータを切り替えるとよい。補正のためのパラメータをすべての原稿の厚みおよび主走査方向及び副走査方向における原稿サイズの組み合わせだけ準備しても良いし、補正部を二つ設けて原稿の厚みに応じた補正を実施した後、その結果に対して原稿のサイズで補正を実施しても良い。
【００５８】
［第四の実施の形態］
上述した第一乃至第三の実施の形態は副走査方向に対して補正を行っているが、原稿搬送方向と直交する主走査方向の補正を行うほうが得られる画像が良好になる場合があるため、本実施の形態では主走査方向の補正のためのパラメータを切り替える。ここでは、これまで詳述した実施の形態と異なる点についてのみ具体的に説明するものとし、それ以外についての詳細は省略する。
【００５９】
補正のためのブロック図を図２に、フローチャートを図１０に示す。
【００６０】
図１８に示すベルト搬送機構における押当ローラ７０２は、奥行き方向に分散配置されている。そのため主走査方向においても原稿７１６が一様にプラテンガラス７０５に接していないので、第一乃至第三の実施の形態で説明した副走査方向と同様なことが主走査方向に対しても言うことができる（図２４（Ｂ））。補正を実現させるための手段は副走査と主走査の違いだけで第一の実施の形態と同等であるが、唯一の違いである主走査方向の補正回路２０４について説明する。
【００６１】
補正回路２０４は図１１のような構成をしている。ラインＣＣＤ３１から入力された信号１０９０４は可変ゲインアンプ１０９０１（第二のゲインパターンに従って画像読取信号のゲインを調整する手段に相当）によって増幅され、ラインＣＣＤ３１からの輝度信号が補正される（１０９０６）。可変ゲインアンプ１０９０１のゲインは、予め用意されている補正値テーブル１０９０２（第二のゲインパターンに相当）によって定められる。補正値テーブル１０９０２は主走査方向の位置１０９０３が入力されると、それに応じた補正値１０９０５を出力するようになっている（図１０  ステップＳ４０３）。
【００６２】
［第五の実施の形態］
上述した第四の実施の形態は原稿の厚みをもとに主走査方向の補正パラメータを切り替えたが、本実施の形態では主走査方向及び副走査方向における原稿サイズをもとに主走査方向の補正パラメータを切り替えている。
【００６３】
輝度信号の補正を説明するためのブロック図を図６に、フローチャートを図１２に示す。
【００６４】
本実施の形態は、第二の実施の形態の副走査方向の補正から主走査方向の補正に変更したものであり（図１２  ステップＳ５０５）、第二および第四の実施の形態に説明があるので、詳細は省略する。
【００６５】
［第六の実施の形態］
上述した第四および第五の実施の形態は原稿の厚みもしくは主走査方向及び副走査方向における原稿サイズをもとに主走査方向の補正パラメータを切り替えたが、本実施の形態では原稿の種別とサイズの両方をもとに主走査方向の補正パラメータを切り替えている。
【００６６】
輝度信号の補正を説明するためのブロック図を図８に、フローチャートを図１３に示す。
【００６７】
第三の実施の形態の副走査方向の補正から主走査方向の補正に変更したものであり（図１３  ステップＳ６０６）、第四および第五の実施の形態に説明があるので、詳細は省略する。
【００６８】
［第七の実施の形態］
上述した第一および第四の実施の形態は原稿の厚みをもとに副走査方向或いは主走査方向のみの補正を行っているが、副走査方向と同時に主走査方向の補正を行うことができればさらに良好な画像が得られる。本実施の形態では、原稿の厚みをもとに副走査方向とともに主走査方向の補正パラメータを切り替える。
【００６９】
補正のためのブロック図を図２に、フローチャートを図１５に示す。
【００７０】
本実施の形態は、第一の実施の形態と第四の実施の形態をあわせた形になり、補正回路２０４は主走査副走査の二段構成になる。その構成を図１４に示す。なお、図１４において、補正回路は１１０１０と記す。
【００７１】
ラインＣＣＤ３１から入力された信号１１００７は可変ゲインアンプ１１００１（第一のゲインパターンに従って画像読取信号のゲインを調整する手段に相当）によって増幅され、ＣＣＤ輝度信号が補正される（１１００８）。可変ゲインアンプ１１００１のゲインは、予め用意されている副走査方向の補正値テーブル１１００３（第一のゲインパターンに相当）によって定められる。副走査方向の補正値テーブル１１００３は副走査方向の位置１１００５が入力されると、それに応じた副走査方向の補正値１０５０５を出力するようになっている（図１５  ステップＳ７０３）。可変ゲインアンプ１１００１から出力された信号１１００８は、さらに、可変ゲインアンプ１１００２（第二のゲインパターンに従って画像読取信号のゲインを調整する手段に相当）によって増幅され、ＣＣＤ輝度信号が補正される（１１００９）。可変ゲインアンプ１１００２のゲインは、予め用意されている主走査方向の補正値テーブル１１００４（第二のゲインパターンに相当）によって定められる。主走査方向の補正値テーブル１１００４は主走査方向の位置１１００６が入力されると、それに応じた主走査方向の補正値１０９０５を出力するようになっている（図１５  ステップＳ７０４）。
【００７２】
本構成は副走査・主走査の順番に補正を行っているが、順番を主走査・副走査のように逆にしても同じ効果が得られる。
【００７３】
［第八の実施の形態］
上述した第二および第五の実施の形態は主走査方向及び副走査方向における原稿サイズをもとに副走査方向或いは主走査方向のみの補正を行っているが、副走査方向と同時に主走査方向の補正を行うことができればさらに良好な画像が得られる。本実施の形態では、主走査方向及び副走査方向における原稿サイズをもとに副走査方向とともに主走査方向のパラメータを切り替える。
【００７４】
補正のためのブロック図を図６に、フローチャートを図１６に示す。
【００７５】
本実施の形態は、第二の実施の形態と第五の実施の形態をあわせた形になり、補正回路２０４は主走査副走査の二段構成になる。その構成を図１４に示す。なお、図１４において、補正回路は１１０１０と記す。本構成は副走査・主走査の順番に補正を行っているが（図１６  ステップＳ８０５、Ｓ８０６）、順番を主走査・副走査のように逆にしても同じ効果が得られる。
【００７６】
詳細な説明は省略する。
【００７７】
［第九の実施の形態］
上述した第三および第六の実施の形態は原稿の厚みおよび主走査方向及び副走査方向における原稿サイズをもとに副走査方向或いは主走査方向のみの補正を行っているが、副走査方向と同時に主走査方向の補正を行うことができればさらに良好な画像が得られる。本実施の形態では、原稿の厚みおよび主走査方向及び副走査方向における原稿サイズをもとに副走査方向とともに主走査方向のパラメータを切り替える。
【００７８】
補正のためのブロック図を図８に、フローチャートを図１７に示す。
【００７９】
本実施の形態は、第三の実施の形態と第五の実施の形態をあわせた形になり、補正回路２０４は主走査副走査の二段構成になる。その構成を図１４に示す。なお、図１４において、補正回路は１１０１０と記す。本構成は副走査・主走査の順番に補正を行っているが（図１７  ステップＳ９０６、Ｓ９０７）、順番を主走査・副走査のように逆にしても同じ効果が得られる。
【００８０】
詳細な説明は省略する。
【図面の簡単な説明】
【００８１】
【図１】本発明に係るディジタル複写機の概略構成断面図
【図２】第一、第四、第七の実施の形態に係る輝度信号の補正を説明するためのブロック図
【図３】第一の実施の形態に係る輝度信号の補正を説明するフローチャート
【図４】画先から走査方向への距離と輝度信号の補正値の関係を示すグラフ
【図５】第一の実施の形態に係る電装部内の補正回路の詳細図
【図６】第二、第五、第八の実施の形態に係る輝度信号の補正を説明するためのブロック図
【図７】第二の実施の形態に係る輝度信号の補正を説明するフローチャート
【図８】第三、第六、第九の実施の形態に係る輝度信号の補正を説明するためのブロック図
【図９】第三の実施の形態に係る輝度信号の補正を説明するフローチャート
【図１０】第四の実施の形態に係る輝度信号の補正を説明するフローチャート
【図１１】第四の実施の形態に係る電装部内の補正回路の詳細図
【図１２】第五の実施の形態に係る輝度信号の補正を説明するフローチャート
【図１３】第六の実施の形態に係る輝度信号の補正を説明するフローチャート
【図１４】第七、第八、第九の実施の形態に係る電装部内の補正回路の詳細図
【図１５】第七の実施の形態に係る輝度信号の補正を説明するフローチャート
【図１６】第八の実施の形態に係る輝度信号の補正を説明するフローチャート
【図１７】第九の実施の形態に係る輝度信号の補正を説明するフローチャート
【図１８】原稿自動給送装置で生じるクサビ型の部分を説明する要部断面図
【図１９】複写画像における下地かぶり現象の発生を説明する図
【図２０】画像読取装置の原稿照明部を示す要部概略断面図
【図２１】プラテンガラス上面から原稿までの距離と原稿照明の光量の関係を示すグラフ
【図２２】（Ａ）原稿の浮き量が原稿の種類によって異なることを説明するグラフ、（Ｂ）読取値が原稿の種類によって異なることを説明するグラフ、（Ｃ）補正係数が原稿の種類によって異なることを説明するグラフ
【図２３】図１８の原稿自動給送装置を上部から見た概略図
【図２４】図２３を簡略化した図で、（Ａ）は副走査方向の原稿浮きの量を示すグラフ、（Ｂ）は主走査方向の原稿浮きの量を示すグラフ
【図２５】（ａ）図２３の原稿自動給送装置に異なるサイズの原稿を載置した図、（ｂ）（ａ）のＡ−Ａ’断面における各々の原稿の原稿浮きの量を示すグラフ
【符号の説明】
【００８２】
１          原稿自動給送装置
２          画像読取装置
３          電子写真プリンタ装置
１０        原稿トレイ
１１        原稿搬送ベルト
１２        プラテンガラス
１３        ベルト従動ローラ
１４        ベルト駆動ローラ
１５        押当ローラ
２３        第１の走査キャリッジ（読み取り部に相当）
２４        第２の走査キャリッジ
２５        画像読取部（原稿の画像を読み取る手段に相当）
２６        原稿照明部
２７        反射ミラー
２８        反射ミラー
２９        反射ミラー
３０        レンズ
３１        ラインＣＣＤ
３３        電装部
３４        画像処理部
３５        光走査器
３８        ミラー
３９        現像器
４０        手差転写材カセット
４２        給紙ローラ
４３        給紙ローラ
４４        転写材カセット
４５        給紙ローラ
４６        給紙ローラ
４７        感光ドラム
４８        転写分離器
４９        搬送ベルト
５０        排紙ローラ
５１        定着器
５２        排出トレイ
６０        原稿
８１        ＣＰＵ
８２        メモリ
１００      ディジタル複写機
２０２      Ａ／Ｄ変換器
２０４      補正回路
７０１      原稿搬送ベルト
７０２      押当ローラ
７０３      ベルト駆動ローラ
７０４      ベルト従動ローラ
７０５      プラテンガラス
７１１      ランプ
７１５      反射笠
７１６      原稿
１１０１    １１０２とサイズの異なる原稿
１１０２    １１０１とサイズの異なる原稿
１１０５    補正パラメータ選択部
１１０６    原稿サイズ検知結果保持部
１１０７    原稿種別入力部
１０５０１  可変ゲインアンプ（第一のゲインパターンに従って画像読取信号のゲインを調整する手段に相当）
１０５０２  補正値テーブル（第一のゲインパターンに相当）
１０５０３  副走査方向の位置
１０５０４  ＣＣＤ輝度信号（入力）
１０５０５  補正値（ゲイン設定値）
１０５０６  補正されたＣＣＤ輝度信号
１０６０１  Ｌ１，Ｈ１によって形成されるクサビ型の部分
１０６０２  プラテンガラスから離れる量が多く光の透過率が高い原稿
１０６０３  プラテンガラスから離れる量が少なく光の透過率が低い原稿
１０６０４  １０６０２の場合の読取値
１０６０５  １０６０３の場合の読取値
１０６０６  １０６０２の場合の補正係数
１０６０７  １０６０３の場合の補正係数
１０９０１  可変ゲインアンプ（第二のゲインパターンに従って画像読取信号のゲインを調整する手段に相当）
１０９０２  補正値テーブル（第二のゲインパターンに相当）
１０９０３  主走査方向の位置
１０９０４  ＣＣＤ輝度信号（入力）
１０９０５  補正値（ゲイン設定値）
１０９０６  補正されたＣＣＤ輝度信号
１１００１  可変ゲインアンプ（第一のゲインパターンに従って画像読取信号のゲインを調整する手段に相当）
１１００２  可変ゲインアンプ（第二のゲインパターンに従って画像読取信号のゲインを調整する手段に相当）
１１００３  副走査方向の補正値テーブル（第一のゲインパターンに相当）
１１００４  主走査方向の補正値テーブル（第二のゲインパターンに相当）
１１００５  副走査方向の位置
１１００６  主走査方向の位置
１１００７  ＣＣＤ輝度信号
１１００８  副走査方向が補正されたラインＣＣＤ輝度信号
１１００９  副走査・主走査ともに補正されたラインＣＣＤ輝度信号
１１０１０  補正回路
【図１】
2007267160.tif 000003
【図２】
2007267160.tif 000004
【図３】
2007267160.tif 000005
【図４】
2007267160.tif 000006
【図５】
2007267160.tif 000007
【図６】
2007267160.tif 000008
【図７】
2007267160.tif 000009
【図８】
2007267160.tif 000010
【図９】
2007267160.tif 000011
【図１０】
2007267160.tif 000012
【図１１】
2007267160.tif 000013
【図１２】
2007267160.tif 000014
【図１３】
2007267160.tif 000015
【図１４】
2007267160.tif 000016
【図１５】
2007267160.tif 000017
【図１６】
2007267160.tif 000018
【図１７】
2007267160.tif 000019
【図１８】
2007267160.tif 000020
【図１９】
2007267160.tif 000021
【図２０】
2007267160.tif 000022
【図２１】
2007267160.tif 000023
【図２２】
2007267160.tif 000024
【図２３】
2007267160.tif 000025
【図２４】
2007267160.tif 000026
【図２５】
2007267160.tif 000027